(57)【特許請求の範囲】
【請求項１】
インフレーション成形によって得た超長尺で且つ表面がコロナ放電処理されているメタロセン触媒を使ったポリエチレン材料からなるチューブ体(10)を偏平状態で巻き取ってロール体を形成しておき、このロール体から偏平チューブ体(10)を繰り出し、当該偏平チューブ体から袋体として出来上がったときの正面(2)と一側面(4)及び背面(3)・他側面(5)になる部位をグラビア印刷(6)を施すと共に、当該偏平チューブ体の一側面(4)と他側面(5)の底辺位置に接着剤を塗布して接着剤層(12)を形成した後、当該偏平チューブ体の先端部位から内部に空気を注入し、且つ出来上がったときの袋体の一側面(4)と他側面(5)になる横幅(Wl)・(W2)の中央に谷折り線(13)を形成し、その谷折り線の両側に山折り線(14)を形成できるように挟圧しながら偏平チューブ体(10)の両側面を開口部(15)から平面視で横向きのＭ字形に成形すると共に、両側面の横幅(Wl)・(W2)の谷折り線(13)を境にして接着剤層(12)を対面にし、且つ、偏平チューブ体(10)の底辺位置を熱溶着して有底部(11)を形成しながらロール体になるように巻き取っておく工程と、前記のロール体から偏平のチューブ体(10)を繰り出して米袋の底部となる４枚重ねの接着剤層(12)を含む２枚重ねの底辺を熱溶着して溶着有底部(11)を形成し、当該溶着有底部(11)の外側を切断部(16)から切断した後に、開口部(15)が上向きになるように立ち上げると共に開口部(15)を広げて米を供給充填した後に、袋体上部の開口部(15)を余剰高さを残して襠無しの２枚重ねで溶着し、偏平チューブ体(10)の横幅(Wl)・(W2)の下端部に接着層(12)を含む底辺の切断部(16)を熱溶着した有底部(11)に両側面(4)・(5)の当該横幅(Wl)・(W2)と正背面の幅(W)で矩形部(11′)を形成することを特徴とする縦置きできる米袋用チューブ体の製造方法。
【請求項２】
表面がコロナ放電処理されているメタロセン触媒を使ったポリエチレン材料からなる偏平チューブ体(10)の正面(2)・一側面(4)と背面(3)・他側面(5)となる部位に所要のグラビア印刷を施すと共に、偏平チューブ体(10)の一側面(4)及び他側面(5)の底部に成る位置に接着剤層(12)を設け、当該偏平チューブ体の両側面(4)・(5)の横幅(Wl)・(W2)の中央に谷折り線(13)が形成され、当該谷折り線の両側に山折り線(14)を形成して前記の接着剤層(12)が対面する４枚重ねの両側面(4)・(5)とすると共に、その横幅(Wl)・(W2)の下端部に接着層(12)を含む底辺の切断部(16)を熱溶着した当該両側面と２枚重ねの有底部(11)に当該横幅(Wl)・(W2)、と、正背面の幅(W)で矩形部(11′)を形成し、米(R)の充填により正背面の横幅(W)と左右両側面の横幅(Wl)・(W2)で略矩形の底部(11′)が形成されるようにしたことを特徴とする請求項１記載の米袋用チューブ体の製造方法によって製造された縦置きできる米袋。
【発明の詳細な説明】
【０００１】
【発明の属する技術分野】
本発明は、縦置きできる米袋用チューブ体の製造方法及び縦置きできる米袋の製造方法並びに米袋用チューブ体の製造方法に係る米袋に関するものであり、既存の米袋製造機械をそのまま活用し、且つ米を詰めた袋体を長手方向に縦置きできるようにして米の販売店において、米袋の正背面及び左右側面に表示されている米の銘柄、ご飯の炊き方・米の保存方法・販売者等その他必要事項を従来の段積み展示した米袋に比べて外から見える表示面積が大きくなり、しかも数段見やすくできるようにしたことを目的とする。
【０００２】
【従来の技術】
従来、米穀店やスーパーストア等米を販売できる店頭において、２kg入りや５kg入りの長方形の米入り袋を陳列する場合は、底部になる面積の広い正面又は背面を天地方向に段積みするのが普通である。そのため、米袋の正背面に印刷表示した銘柄や品質等各種の表示は最上段の米袋以外は外から見ることが事実上困難である。
【０００３】
【発明が解決しようとする課題】
従って、正背面を天地方向にして段積みする方法は、面積が広い正面又は背面の表示は人の目に触れることがない。わずかに米袋の側面が人の目に触れるだけである。
本出願人は、この点に注目して米袋の側面にも広告表示できる方法の発明を提供した（特許第2626660号）。これによって、米袋側面の広告も人の目に触れて広告効果が得られている。しかしながら、当該特許発明に係る米袋にあっても正背面を天地にして段積みすることによって外から見えるのは側面だけである。従って、正背面のスペースに比べてその広告表示のスペースがきわめて小さいことには変わりがない。
【０００４】
【課題を解決するための手段】
本発明は、上記従来の課題を解決するために縦置きするために有効な底面積を確保する米袋を既存の機械で自動的に量産して提供するものである。
【０００５】
本発明の第1は、縦置きできる米袋用チューブ体の製造方法において、インフレーション成形によって得た超長尺で且つ表面がコロナ放電処理されているメタロセン触媒を使ったポリエチレン材料からなるチューブ体を偏平状態で巻き取ってロール体を形成しておき、このロール体から偏平チューブ体を繰り出し、当該偏平チューブ体から袋体として出来上がったときの正面と一側面及び背面・他側面になる部位をグラビア印刷を施すと共に、当該偏平チューブ体の一側面と他側面の底辺位置に接着剤を塗布して接着剤層を形成した後、当該偏平チューブ体の先端部位から内部に空気を注入し、且つ出来上がったときの袋体の一側面と他側面になる横幅の中央に谷折り線を形成し、その谷折り線の両側に山折り線を形成できるように挟圧しながら偏平チューブ体の両側面を開口部から平面視で横向きのＭ字形に成形すると共に、両側面の横幅の谷折り線を境にして接着剤層を対面にし、且つ、偏平チューブ体の底辺位置を熱溶着して有底部を形成しながらロール体になるように巻き取っておく工程と、前記のロール体から偏平のチューブ体を繰り出して米袋の底部となる４枚重ねの接着剤層を含む２枚重ねの底辺を熱溶着して溶着有底部を形成し、当該溶着有底部の外側を切断部から切断した後に、開口部が上向きになるように立ち上げると共に開口部を広げて米を供給充填した後に、袋体上部の開口部を余剰高さを残して襠無しの２枚重ねで溶着し、偏平チューブ体の横幅の下端部に接着層を含む底辺の切断部を熱溶着した有底部に両側面の当該横幅と正背面の幅(W)で矩形部を形成するようにしたものである。
【０００６】
本発明の第２は、第１発明に係る縦置きできる米袋用チューブ体の製造方法によって製造された縦置きできる米袋において、表面がコロナ放電処理されているメタロセン触媒を使ったポリエチレン材料からなる偏平チューブ体の正面・一側面と背面・他側面となる部位に所要のグラビア印刷が施すと共に、一側面及び他側面の底部に成る位置に接着剤層を設け、当該偏平チューブ体の両側面の横幅の中央に谷折り線が形成され、当該谷折り線の両側に山折りを形成して前記の接着剤層が対面する４枚重ねの両側面とすると共に、その横幅の下端部に接着層を含む底辺の切断部を熱溶着した当該両側面と２枚重ねの有底部に両側面の横幅と、正背面の幅で矩形部を形成し、米の充填により正背面の横幅と左右両側面の横幅で略矩形の底部が形成されるようにしたものである。
【０００７】
【実施例】
以下本発明の実施例を図面に即して説明する。１は米を収納する袋体であり、メタロセン触媒を使ったポリエチレン素材を可とする丈夫なポリエチレンを材料とし、且つ単一層でその外側の表面全体にコロナ放電処理が施されている。
２は袋体の正面、３は袋体1の背面、４・５は袋体１の襠（まち）を有する左右側面、６は袋体1の正背面に施したグラビア印刷部であり、図示例にあっては、袋体の正面２には産地や銘柄名６1、意匠キャラクター６2、産地名・銘柄・kg重量等６3を表示してある。また、袋体の背面３には産地や銘柄名６4、ご飯の炊き方６5、お米の保存方法６6、販売店・連絡先６7、名称・産地・品種・産年・使用割合・内容容量・精米年月日・販売者等６nを表示してある。
【０００８】
そして、前記左右両側面の襠となる横幅Ｗl・Ｗ2の中央に谷折り線１３が形成され、且つその谷折り線の両側に山折り線が形成されていて、前記一側面４と他側面５の底辺位置に接着剤層１２が設けられ、且つ谷折り線１３を境にした両側対峙面が接着剤層同士の圧接で接着されている。
１１は偏平チューブ体１０の底辺位置が熱溶着された溶着有底部であり、この有底部は袋体1に米Ｒの充填による重量によって正背面の横幅Ｗと、襠の部位になる両側面の横幅Ｗl・Ｗ2によって略矩形状の底部１１′が形成される。
１６は溶着有底部１１の外側に位置する切断部である。１７は手提げ部であり、米を詰めた袋体上部の開口部１５を、その開口端までの余剰高さｈを残して溶着して溶着部１８とし、その余剰高さｈの範囲内に設けるものとし、具体的には切り込み又はスリット若しくは横長穴等適宜の手段で成形する。
【０００９】
【具体的な使用例】
次に、既存の米袋製造機械を用いて具体的に「米袋用チューブ体の製造工程」、「米袋用有底チューブ体の製造工程」、「米袋用有底チューブ体の製造工程」を説明する。
（1）「米袋用チューブ体の製造工程」
インフレーション成形によって得た超長尺で且つ表面がコロナ放電処理されているチューブ体１０を偏平状態で巻き取ってロール体を形成しておき、このロール体から偏平チューブ体１０を繰り出し、当該偏平チューブ体から袋体として出来上がったときの正面２と一側面４及び背面３と他側面５になる部位を同時的にグラビア印刷６（６1〜６n）を施すと共に、一側面４と他側面５の底辺位置に接着剤を塗布して接着剤層１２を形成する。次に、偏平チューブ体１０内に開口部１５から空気を注入し、且つ出来上がった袋体１の両側面４・５になる横幅Ｗl・Ｗ2の中央に谷折り線１３を形成し、その谷折り線の両側に山折り線１４を形成できるように挟圧しながら偏平チューブ体１０の両側面を開口部１５から平面視で横向きのＭ形に成形すると共に、両側面の横幅Ｗl・Ｗ2の谷折り線１３を境にして接着剤層１２を対面にして押圧しながらロール体に巻き取っておく。
【００１０】
（2）「米袋用有底チューブ体の製造工程」
前記の「米袋用チューブ体の製造工程」で得た偏平チューブ体１０の両側面に形成した横幅Ｗ1・Ｗ2の下端部に接着剤層１２を含む底辺の切断部１６を熱溶着して有底部１１を形成する。この場合、前記接着剤層の部位は４枚重ねになり、その他の部位は２枚重ねの状態で溶着してある。そして、当該偏平チューブ体をロール体に成るように巻き取っておく。
【００１１】
（3）「自動製造方法に係る米袋の製造工程」
次に、前記「米袋用有底チューブ体の製造工程」で得た偏平チューブ体１０の両側面４・５の横幅Ｗ1・Ｗ2の底辺の切断部１６の溶着によって形成される矩形状の底部１１′に米を袋詰めするのに際して、開口部１５の側から繰り出した偏平チューブ体１０における溶着有底部１１の外側の切断部１６から切断した後に開口側が上向きになるように立ち上げると共に開口部１５を広げて米を供給充填した後に、充填米の重量によって正背面２・３の幅Ｗと左右両側面４・５の両幅Ｗl・Ｗ2で略矩形状の底部１１′が形成される。この状態において、開口部１５を熱溶着して中に詰めた米を封入し、袋体１の矩形状の底部１１′を台上に載置する。そして、米袋上部の手提げ１７に手を掛けて片手で吊り下げて運搬する。
【００１２】
【発明の効果】
本発明は上記の構成であるから、次の効果がある。すなわち、製袋業者側が「米袋用チューブ体の製造工程」で得たロール体を、米を詰める業者側に納入することができる。
または、製袋業者側が「米袋用有底チューブ体の製造工程」で得たロール体を、米を詰める業者側に納入することができる。
そして、米を袋詰めする業者側においては、前記の納入された「米袋用チューブ体の製造工程」で得たロール体を繰り出して米袋用チューブ体の底辺部位を熱溶着して有底部を形成し、且つその有底部の外側における切断部から切断したことによって、底部が正背面の幅と左右側面の横幅によって米袋を縦置きするのに安定した矩形部が形成され、縦向きに立てて置ける袋体が得られる。
または、米を袋詰めする業者側において、「米袋用有底チューブ体の製造工程」で得たロール体を繰り出して米袋用チューブ体底辺の有底部の外側における切断部から切断したことによって、底部が正背面の幅と左右側面の横幅によって米袋を縦置きするのに安定した矩形部が形成され，縦向きに立てて置ける袋体が得られる。
【００１３】
次に、既存の米袋製造機械をそのまま活用して自動化によって量産できる。これによって、米袋の正背面及び左右側面に表示されている必要事項を横向きの段積みする米袋に比べて数倍も見やすく展示できる。
そして、米袋上部の開口を塞ぐ溶着部と開口端との余剰高さの範囲内に設けた手提げ部に手を掛けて持つことによって、一般に普及している２kg入りの米袋はもちろんのこと、５kg入りの米袋位までは片手で持ち運ぶことができる。すなわち、袋体の素材を丈夫なポリエチレン材料を用いたことと相俟って吊り下げたときに裂けたり千切れたりすることがない。
また、その手提げ用切り込み若しくは横長穴は袋体の製造工程の中で簡単に行うことができる。
さらに、袋体の外側表面はコロナ放電処理されているため、両側の底部片は熱溶着できないが、その部位は接着剤を塗布して接着したことにより、その底部辺の基部の裂けやすい弱い部位が保護される。
【図面の簡単な説明】
【図１】  本発明方法によって正背面及び左右側面全体に印刷表示し、且つ底部面積を確保して縦置きした状態の米収納袋の斜視図である。
【図２】  図１の底面部の斜視図である。
【図３】  超長尺チューブ体の正面と一側面になる部位を印刷表示した正面図で
ある。
【図４】  超長尺チューブ体の背面と他側面になる部位を印刷表示した背面図である。
【図５】  超長尺チューブ体の両側面の中央を谷折りし、その両側を山折りして開口側からの平面視で両側面を横向きのＭ形に成形した正面図である。
【図６】  図５の拡大平面図である。
【図７】  底部を縦置きできる底面積を形成した袋体の斜視図である。
【符号の説明】
１  矩形底部が形成される面積を有する米収納用袋体
２  袋体の正面部
３  袋体の背面部
４  袋体の一側面部
５  袋体の他側面部
６  袋体正面部のグラビア印刷表示部
７  袋体背面部のグラビア印刷表示部
８  袋体一側面部のグラビア印刷表示部
９  袋体他側面部のグラビア印刷表示部
10  インフレーション成形による薄肉チューブ体
１１  袋体の有底部
１１′  矩形状の底部（有底の矩形部）
１２  袋体の側面底部位置に塗布した接着剤層
１３  袋体側面の谷折り線
１４  袋体側面の山折り線
１５  袋体上部の開口部
１６  有底部の外側における切断部
１７  手掛け部
１８  溶着部
Ｗ  袋体の横幅
Ｌ  袋体の長さ
Ｗ1  袋体の正面及び背面の横幅
Ｗ2  袋体の側面の横幅
ｈ  袋体上部の余剰高さ
【図１】
0004172618.tif 000002
【図２】
0004172618.tif 000003
【図３】
0004172618.tif 000004
【図４】
0004172618.tif 000005
【図５】
0004172618.tif 000006
【図６】
0004172618.tif 000007
【図７】
0004172618.tif 000008